【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置用の光学素子であって、
前記光学素子は、その内部に複数の段差が形成された複数の輪帯が光軸を中心として配された構造である重畳型回折構造が形成された光学機能面と、光軸方向の段差により分割された複数の輪帯から構成される回折構造が形成された光学機能面と、を有することを特徴とする光ピックアップ装置用の光学素子。
【請求項２】
前記第１波長λ１の光束が前記回折構造に入射した場合に発生する回折光のうち最大の回折効率を有する回折光の回折次数をｎ１、前記第２波長λ２の光束が前記回折構造に入射した場合に発生する回折光のうち最大の回折効率を有する回折光の回折次数をｎ２としたとき、以下の（１）式を満たすように、前記回折構造の段差の深さが設定されていることを特徴とする請求項１に記載の光ピックアップ装置用の光学素子。
ｎ１＞ｎ２ （１）
【請求項３】
前記第１波長λ１（μｍ）、前記第２波長λ２（μｍ）が、それぞれ以下の（２）及び（３）式を満たすとともに、前記第１波長λ１の光束が前記回折構造に入射した場合に発生する回折光のうち最大の回折効率を有する回折光の回折次数ｎ１と、前記第２波長λ２の光束が前記回折構造に入射した場合に発生する回折光のうち最大の回折効率を有する回折光の回折次数ｎ２の組合せが、（ｎ１，ｎ２）＝（２，１）、（３，２）、（５，３）、（８，５）、（１０，６）のいずれかであることを特徴とする請求項１又は２に記載の光ピックアップ装置用の光学素子。
０．３９＜λ１＜０．４２ （２）
０．６３＜λ２＜０．６８ （３）
【請求項４】
前記光学素子のうち、前記回折構造が形成された光学機能面を有する素子は、前記第１波長λ１における屈折率が１．５〜１．６の範囲内であり、且つd線でのアッベ数が５０
〜６０の範囲内の材料から形成され、前記回折構造の段差のうち光軸に最も近い段差の光軸方向の深さｄ１が以下の（４）乃至（８）式のいずれかを満たすことを特徴とする請求項１乃至３のいずれか一項に記載の光ピックアップ装置用の光学素子。
１．２μｍ＜ｄ１＜１．７μｍ （４）
２．０μｍ＜ｄ１＜２．６μｍ （５）
３．４μｍ＜ｄ１＜４．１μｍ （６）
５．６μｍ＜ｄ１＜６．５μｍ （７）
６．９μｍ＜ｄ１＜８．１μｍ （８）
【請求項５】
前記回折構造の光軸を含む断面形状は、階段形状であることを特徴とする請求項１乃至４のいずれか一項に記載の光ピックアップ装置用の光学素子。
【請求項６】
前記回折構造の光軸を含む断面形状は、鋸歯形状であることを特徴とする請求項１乃至４のいずれか一項に記載の光ピックアップ装置用の光学素子。
【請求項７】
前記光学素子は、１つの素子から構成され、前記重畳型回折構造は、前記光学素子の一方の光学機能面に形成され、前記回折構造は、前記光学素子のもう一方の光学機能面に形成されたことを特徴とする請求項１乃至６のいずれか一項に記載の光ピックアップ装置用の光学素子。
【請求項８】
前記重畳型回折構造は、前記第１波長λ１の光束に対して、隣接する輪帯間で実質的に光路差を与えず、前記第２波長λ２の光束に対して光路差を与えることを特徴とする請求項１乃至７のいずれか一項に記載の光ピックアップ装置用の光学素子。
【請求項９】
前記第１波長λ１（μｍ）、前記第２波長λ２（μｍ）が、それぞれ以下の（２）及び（３）式を満たすことを特徴とする請求項１乃至８のいずれか一項に記載の光ピックアップ装置用の光学素子。
０．３９＜λ１＜０．４２ （２）
０．６３＜λ２＜０．６８ （３）
【請求項１０】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置用の光学素子であって、
前記光学素子は、その内部に複数の段差が形成された複数の輪帯が光軸を中心として配された構造である重畳型回折構造が形成された光学機能面と、光軸方向の段差により分割された複数の輪帯から構成される光路差付与構造が形成された光学機能面と、を有することを特徴とする光ピックアップ装置用の光学素子。
【請求項１１】
前記光路差付与構造の輪帯のうち、最大有効径内の所定の高さに位置する輪帯よりも内側の輪帯は、光軸から離れるに従って光路長が短くなるように光軸方向に変移しており、前記最大有効径内の所定の高さに位置する輪帯よりも外側の輪帯は、光軸から離れるに従って光路長が長くなるように光軸方向に変移していることを特徴とする請求項１０に記載の光ピックアップ装置用の光学素子。
【請求項１２】
前記所定の高さに位置する輪帯の中央部における光軸からの高さは、最大有効径の６０％乃至８５％の範囲内の高さであることを特徴とする請求項１１に記載の光ピックアップ装置用の光学素子。
【請求項１３】
前記第１波長λ１（μｍ）、前記第２波長λ２（μｍ）、前記光路差付与構造の段差のうち光軸に最も近い段差の光軸方向の深さｄ２(μｍ)、前記光学素子のうち、前記光路差付与構造が形成された光学機能面を有する素子の前記第１波長λ１に対する屈折率Ｎλ1
、前記光学素子の前記第２波長λ１に対する屈折率Ｎλ2により、それぞれ以下の（９）
及び（１０）式で表されるΦ１、Φ２が以下の（１１）乃至（１３）式を満たすことを特徴とする請求項１０乃至１２のいずれか一項に記載の光ピックアップ装置用の光学素子。Φ１＝ｄ２（Ｎλ1−１）／λ１ （９）
Φ２＝ｄ２（Ｎλ2−１）／λ２ （１０）
ＩＮＴ（Φ１）≦２０ （１１）
０≦｜ＩＮＴ（Φ１）−Φ１｜≦０．４ （１２）
０≦｜ＩＮＴ（Φ２）−Φ２｜≦０．４ （１３）
但し、ＩＮＴ（Φｉ）（ｉ＝１、２）は、Φｉを四捨五入して得られる整数である。
【請求項１４】
前記光学素子のうち、前記光路差付与構造が形成された光学機能面を有する素子は、前記第１波長λ１における屈折率が１．５〜１．６の範囲内であり、且つｄ線でのアッベ数
が５０〜６０の範囲内の材料から形成されると共に、以下の（１４）及び（１５）式を満たすことを特徴とする請求項１３に記載の光ピックアップ装置用の光学素子。
ＩＮＴ（Φ１）＝５ｐ （１４）
ＩＮＴ（Φ２）＝３ｐ （１５）
但し、ｐは１以上の整数である。
【請求項１５】
前記光学素子は、１つの素子から構成され、前記重畳型回折構造は、前記光学素子の一方の光学機能面に形成され、前記光路差付与構造は、前記光学素子のもう一方の光学機能面に形成されたことを特徴とする請求項１０乃至１４のいずれか一項に記載の光ピックアップ装置用の光学素子。
【請求項１６】
前記重畳型回折構造は、前記第１波長λ１の光束に対して、隣接する輪帯間で実質的に光路差を与えず、前記第２波長λ２の光束に対して光路差を与えることを特徴とする請求項１０乃至１５のいずれか一項に記載の光ピックアップ装置用の光学素子。
【請求項１７】
前記第１波長λ１（μｍ）、前記第２波長λ２（μｍ）が、それぞれ以下の（２）及び（３）式を満たすことを特徴とする請求項１０乃至１６のいずれか一項に記載の光ピックアップ装置用の光学素子。
０．３９＜λ１＜０．４２ （２）
０．６３＜λ２＜０．６８ （３）
【請求項１８】
前記第１波長λ１（μｍ）、前記第２波長λ２（μｍ）が以下の（２）及び（３）式を満たすと共に、前記重畳型回折構造において各輪帯内に形成された前記段差の光軸方向の深さΔ（μｍ）、前記光学素子のうち、前記重畳型回折構造が形成された光学機能面を有する素子の前記第１波長λ１に対する屈折率Ｎλ1が、実質的に以下の（１６）式を満た
すことを特徴とする請求項１乃至１７のいずれか一項に記載の光ピックアップ装置用の光学素子。
０．３９＜λ１＜０．４２ （２）
０．６３＜λ２＜０．６８ （３）
Δ＝２ｍ・λ１／（Ｎλ1−１） （１６）
但し、Ｎは３又は４又は５のいずれか、ｍは１以上の整数である。
【請求項１９】
前記光学素子のうち、前記重畳型回折構造が形成された光学機能面を有する素子は、前記第１波長λ１における屈折率が１．５〜１．６の範囲内であり、且つd線でのアッベ数
が５０〜６０の範囲内の材料から形成され、前記重畳型回折構造において、各輪帯内に形成された前記段差の数Ｎと、前記輪帯のうち光軸に最も近い輪帯の光軸方向の深さＤ（μｍ）の組合せが、それぞれ以下の（１７）乃至（１９）式のいずれかであることを特徴とする請求項１８に記載の光ピックアップ装置用の光学素子。
Ｎ＝３のとき、４．１≦Ｄ≦４．８ （１７）
Ｎ＝４のとき、５．４≦Ｄ≦６．４ （１８）
Ｎ＝５のとき、７．０≦Ｄ≦７．９ （１９）
【請求項２０】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置に用いられ、前記第１波長λ１の光束を前記第１光情報記録媒体の情報記録面上に集光させると共に、前記第２波長λ２の光束を前記第２光情報記録媒体の情報記録面上に集光させるために用いられる対物光学系であって、
請求項１乃至９のいずれか一項に記載の光ピックアップ装置用の光学素子を含むと共に、前記回折構造は、前記第１波長λ１が±１０ｎｍの範囲内で変化した際に、前記対物光学系の波長分散に起因して発生する色収差を抑制する機能を有することを特徴とする対物光学系。
【請求項２１】
前記回折構造は、前記第１波長λ１が±１０ｎｍの範囲内で変化した際に、前記対物光学系の軸上色収差を抑制する機能を有することを特徴とする請求項２０に記載の対物光学系。
【請求項２２】
前記回折構造は、前記第１波長λ１が±１０ｎｍの範囲内で変化した際に、前記対物光学系の波長分散に起因して発生する球面収差変化を抑制する機能を有することを特徴とする請求項２０又は２１に記載の対物光学系。
【請求項２３】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置に用いられ、前記第１波長λ１の光束を前記第１光情報記録媒体の情報記録面上に集光させると共に、前記第２波長λ２の光束を前記第２光情報記録媒体の情報記録面上に集光させるために用いられる対物光学系であって、
請求項１乃至９のいずれか一項に記載の光ピックアップ装置用の光学素子を含むと共に、
前記対物光学系は、近軸におけるパワーが正であるプラスチックレンズを有し、前記回折構造は、環境温度変化に伴う、前記プラスチックレンズの屈折率変化に起因して発生する球面収差変化を抑制する機能を有することを特徴とする対物光学系。
【請求項２４】
前記対物光学系は、前記第１波長λ１が長波長側に変化した場合には、球面収差が補正不足方向に変化し、前記第１波長λ１が短波長側に変化した場合には、球面収差が補正過剰方向に変化するような球面収差の波長依存性を有することを特徴とする請求項２３に記載の対物光学系。
【請求項２５】
前記対物光学系は、収差補正素子と、該収差補正素子から射出された前記第１波長λ１の光束を前記第１光情報記録媒体の情報記録面上に集光させると共に、該収差補正素子から射出された前記第２波長λ２の光束を前記第２光情報記録媒体の情報記録面上に集光させるために用いられる集光素子とから構成され、
前記重畳型回折構造及び前記回折構造は、前記収差補正素子の光学機能面に形成されることを特徴とする請求項２０乃至２４のいずれか一項に記載の対物光学系。
【請求項２６】
前記回折構造の光軸を含む断面形状は、階段形状であることを特徴とする請求項２０乃至２５のいずれか一項に記載の対物光学系。
【請求項２７】
前記回折構造の光軸を含む断面形状は、鋸歯形状であることを特徴とする請求項２０乃至２５のいずれか一項に記載の対物光学系。
【請求項２８】
前記重畳型回折構造は、前記第１光情報記録媒体の保護層と、前記第２光情報記録媒体の保護層の厚さの違いに起因して発生する球面収差を補正する機能を有することを特徴とする請求項２０乃至２７のいずれか一項に記載の対物光学系。
【請求項２９】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置に用いられ、前記第１波長λ１の光束を前記第１光情報記録媒体の情報記録面上に集光させると共に、前記第２波長λ２の光束を前記第２光情報記録媒体の情報記録面上に集光させるために用いられる対物光学系であって、
請求項１０乃至１７のいずれか一項に記載の光ピックアップ装置用の光学素子を含むと共に、前記光路差付与構造は、前記第１波長λ１が±１０ｎｍの範囲内で変化した際に、前記対物光学系の波長分散に起因して発生する球面収差変化を抑制する機能を有することを特徴とする対物光学系。
【請求項３０】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置に用いられ、前記第１波長λ１の光束を前記第１光情報記録媒体の情報記録面上に集光させると共に、前記第２波長λ２の光束を前記第２光情報記録媒体の情報記録面上に集光させるために用いられる対物光学系であって、
請求項１０乃至１７のいずれか一項に記載の光ピックアップ装置用の光学素子を含むと共に、前記対物光学系は、近軸におけるパワーが正であるプラスチックレンズを有し、前記光路差付与構造は、環境温度変化に伴う、前記プラスチックレンズの屈折率変化に起因して発生する球面収差変化を抑制する機能を有することを特徴とする対物光学系。
【請求項３１】
前記光路差付与構造は、環境温度が上昇した場合には、前記第１波長λ１の光束に対して付加する球面収差が補正不足方向に変化し、環境温度が低下した場合には、前記第１波長λ１の光束に対して付加する球面収差が補正不足方向に変化するような球面収差の温度依存性を有することを特徴とする請求項３０に記載の対物光学系。
【請求項３２】
前記光路差付与構造の輪帯のうち、最大有効径内の所定の高さに位置する輪帯よりも内側の輪帯は、光軸から離れるに従って光路長が短くなるように光軸方向に変移しており、前記最大有効径内の所定の高さに位置する輪帯よりも外側の輪帯は、光軸から離れるに従って光路長が長くなるように光軸方向に変移していることを特徴とする請求項３０又は３１に記載の対物光学系。
【請求項３３】
前記所定の高さに位置する輪帯の中央部における光軸からの高さは、最大有効径の６０％乃至８５％の範囲内の高さであることを特徴とする請求項３２に記載の対物光学系。
【請求項３４】
前記対物光学系は、収差補正素子と、該収差補正素子から射出された前記第１波長λ１の光束を前記第１光情報記録媒体の情報記録面上に集光させると共に、該収差補正素子から射出された前記第２波長λ２の光束を前記第２光情報記録媒体の情報記録面上に集光させるために用いられる集光素子とから構成され、
前記重畳型回折構造及び前記光路差付与構造は、前記収差補正素子の光学機能面に形成されることを特徴とする請求項２９乃至３３のいずれか一項に記載の対物光学系。
【請求項３５】
前記重畳型回折構造は、前記第１光情報記録媒体の保護層と、前記第２光情報記録媒体の保護層の厚さの違いに起因して発生する球面収差を補正する機能を有することを特徴とする請求項２９乃至３４のいずれか一項に記載の対物光学系。
【請求項３６】
前記重畳型回折構造により透過波面に付加される光路差を以下の数式で定義したとき、
【数１】
2005209321.tif 000001
Ｂ2とＢ4の符号が互いに異なることを特徴とする請求項２０乃至３５のいずれか一項に記載の対物光学系。
但し、λは入射光束の波長、λＢは製造波長、ｈは光軸に垂直な方向の高さ（ｍｍ）、Ｂ2jは光路差関数係数、ｎは回折次数である。
【請求項３７】
前記対物光学系は、前記重畳型回折構造が形成された光学機能面を有する収差補正素子と、該収差補正素子から射出された前記第１波長λ１の光束を前記第１光情報記録媒体の情報記録面上に集光させると共に、該収差補正素子から射出された前記第２波長λ２の光束を前記第２光情報記録媒体の情報記録面上に集光させるために用いられる１群１枚構成のプラスチックレンズである集光素子とから構成され、
前記第１波長λ１に対する前記収差補正素子の近軸におけるパワーＰ１（ｍｍ-1）が以下の（２０）式を満たすことを特徴とする請求項２０乃至３６のいずれか一項に記載の対物光学系。
Ｐ１＞０ （２０）
【請求項３８】
前記対物光学系は、前記重畳型回折構造が形成された光学機能面を有する収差補正素子と、該収差補正素子から射出された前記第１波長λ１の光束を前記第１光情報記録媒体の情報記録面上に集光させると共に、該収差補正素子から射出された前記第２波長λ２の光束を前記第２光情報記録媒体の情報記録面上に集光させるために用いられる１群１枚構成の集光素子とから構成され、
前記第１波長λ１に対する前記収差補正素子の近軸におけるパワーＰ１（ｍｍ-1）と、前記第１波長λ１に対する前記集光素子の近軸におけるパワーＰ２（ｍｍ-1）との比が以下の（２１）式を満たすことを特徴とする請求項２０乃至３７のいずれか一項に記載の対物光学系。
｜Ｐ１／Ｐ２｜≦０．２ （２１）
【請求項３９】
前記集光素子は、環状ポレオレフィン系のプラスチックレンズであって、該プラスチックレンズは、温度２５℃での波長４０５ｎｍに対する屈折率Ｎ405、及びｄ線におけるア
ッベ数νd、−５℃〜７０℃の温度範囲内での温度変化に伴う波長４０５ｎｍに対する屈
折率の変化率ｄＮ405／ｄＴが以下の（２２）乃至（２４）式を満たすことを特徴とする
請求項３８に記載の対物光学系。
１．５４＜Ｎ405＜１．５８ （２２）
５０＜νd＜６０ （２３）
−１０×１０-5（℃-1）＜ｄＮ405／ｄＴ＜−８×１０-5（℃-1） （２４）
【請求項４０】
前記集光素子は、プラスチック材料中に、直径が３０μｍ以下の粒子を分散させた材料を用いて成形されたことを特徴とする請求項３８に記載の対物光学系。
【請求項４１】
前記集光素子は、ガラスレンズであることを特徴とする請求項３８に記載の対物光学系。
【請求項４２】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置であって、
請求項１乃至１９のいずれか一項に記載の光ピックアップ装置用の光学素子を有することを特徴とする光ピックアップ装置。
【請求項４３】
第１光源から射出される第１波長λ１の光束を用いて厚さｔ１の保護層を有する第１光情報記録媒体に対して情報の再生及び／又は記録を行い、第２光源から射出される第２波長λ２（λ２＞λ１）の光束を用いて厚さｔ２（ｔ２≧ｔ１）の保護層を有する第２光情報記録媒体に対して情報の再生及び／又は記録を行う光ピックアップ装置であって、
請求項２０乃至４１のいずれか一項に記載の対物光学系を有することを特徴とする光ピックアップ装置。
【請求項４４】
請求項４２又は４３に記載の光ピックアップ装置を搭載して、以下の（I）乃至（IV）
のうち、少なくとも１つを実行可能であることを特徴とする光情報記録再生装置。
（I）前記第１光情報記録媒体に対する情報の記録、及び、前記第２光情報記録媒体に対
する情報の記録
（II）前記第１光情報記録媒体に対する情報の記録、及び、前記第２光情報記録媒体に記録された情報の再生
（III）前記第１光情報記録媒体に記録された情報の再生、及び、前記第２光情報記録媒
体に対する情報の記録
（IV）前記第１光情報記録媒体に記録された情報の再生、及び、前記第２光情報記録媒体に記録された情報の再生
【手続補正２】
【補正対象書類名】明細書
【補正対象項目名】発明の名称
【補正方法】変更
【補正の内容】
【発明の名称】光ピックアップ装置用の光学素子、対物光学系、光ピックアップ装置、及び光情報記録再生装置
【手続補正３】
【補正対象書類名】明細書
【補正対象項目名】０００１
【補正方法】変更
【補正の内容】
【０００１】
本発明は、光ピックアップ装置用の光学素子、対物光学系、これら光学素子を用いた光ピックアップ装置及び光情報記録再生装置に関する。
【手続補正４】
【補正対象書類名】明細書
【補正対象項目名】０００８
【補正方法】変更
【補正の内容】
【０００８】
本発明の課題は、上述の問題を考慮したものであり、青紫色レーザ光源を使用する高密
度光ディスクとＤＶＤを含む、使用する波長が異なる複数種類の光情報記録媒体に対して情報の記録及び／又は再生を適切に行うことができる光ピックアップ装置用の光学素子、対物光学系、光ピックアップ装置、及び光情報記録再生装置を提供することである。
【手続補正５】
【補正対象書類名】明細書
【補正対象項目名】００６０
【補正方法】変更
【補正の内容】
【００６０】
また、請求項３８の発明にあるように、第１波長λ１に対する収差補正素子の近軸におけるパワーＰ１と、第１波長λ１に対する集光素子の近軸におけるパワーＰ２とを（２１）式を満たすように設定するのが好ましい。このように、入射光束に対する屈折力を専ら光ディスク側に配置される集光素子に持たせることで、ＤＶＤに対する作動距離を十分に確保することが可能となる。更に、収差補正素子の光学機能面上に、重畳型回折構造のごとき光軸方向の段差を有する構造を形成しているので、段差部分によりその進路が遮断されて集光スポットの形成に寄与しない光束の割合を抑えることができ、透過率の低下を防止できる。
【手続補正６】
【補正対象書類名】明細書
【補正対象項目名】００６１
【補正方法】変更
【補正の内容】
【００６１】
請求項３９の発明にあるように、集光素子をプラスチックレンズとすると、安定した品質で高精度に大量生産することが可能となる。
一方、請求項４１の発明にあるように、集光素子をガラスレンズとすると、青紫色領域の光に対する耐光性、耐温度性、透過率等に関して高い信頼性を有する集光素子とすることができる。
ガラスレンズとして、ガラス転移点Ｔgが４００℃以下であるガラス材料を使用すると、比較的低温での成形が可能となるので、金型の寿命を延ばすことができる。これにより、集光素子の製造コストを低減できる。
かかるガラス転移点Ｔｇが低いガラス材料としては、例えば、（株）スミタ光学ガラス製のＫ−ＰＧ３２５やＫ−ＰＧ３７５（共に製品名）がある。
【手続補正７】
【補正対象書類名】明細書
【補正対象項目名】００６２
【補正方法】変更
【補正の内容】
【００６２】
また、集光素子の材料としては、プラスチック材料中に、直径が３０ｎｍ以下の粒子を分散させた材料を使用してもよい。
温度が上昇すると屈折率が下がるプラスチック材料に、温度が上昇すると屈折率が上昇する無機材料を均質に混成することで両者の屈折率の温度依存性を打ち消すことが可能となる。これにより、プラスチック材料の成形性を保持したまま、温度変化に伴う屈折率変化が小さい光学材料（以下、かかる光学材料を「アサーマル樹脂」と呼ぶ）。
ここで、集光素子の屈折率の温度変化について説明する。温度変化に対する屈折率の変化率は、Lorentz−Lorenzの公式に基づいて、屈折率ｎを温度ｔで微分することにより、
以下の数２に示すＡで表される。
【数２】
2005209321.tif 000002
但し、ｎはレーザ光源の波長に対する前記集光レンズの屈折率であり、αは集光素子の線膨張係数であり、[R]は集光素子の分子屈折力である。
一般的なプラスチック材料の場合は、第１項に比べて第２項の寄与が小さいので第２項はほぼ無視出来る。たとえば、アクリル樹脂（ＰＭＭＡ）の場合、線膨張係数αは７×１０-5である、上式に代入すると、Ａ＝−１２×１０-5となり、実測値と概ね一致する。
ここで、本発明での集光素子では、直径が３０ｎｍ以下の微粒子プラスチック材料中に分散させることにより、実質的に上式の第２項の寄与を大きくし、第１項の線膨張による変化と打ち消しあうようにさせている。
【手続補正８】
【補正対象書類名】明細書
【補正対象項目名】００６３
【補正方法】変更
【補正の内容】
【００６３】
具体的には、従来は−１２×１０-5程度であった温度変化に対する屈折率変化率を、絶対値で１０×１０-5未満に抑えることが好ましい。より好ましくは、８×１０-5未満、更に好ましくは、６×１０-5未満に抑えることが、集光素子の温度変化に伴う球面収差変化を低減するうえで好ましい。
例えば、アクリル樹脂（ＰＭＭＡ）に、酸化ニオブ（Ｎｂ２Ｏ５）の微粒子を分散させることにより、このような温度変化に対する屈折率変化の依存性を解消することが出来る。
母材となるプラスチック材料は、体積比で８０、酸化ニオブは２０程度の割合であり、これらを均一に混合する。微粒子は凝集しやすいという問題があるが、粒子表面に電荷を与えて分散させる技術も知られており、必要な分散状態を生じさせることが出来る。
尚、この体積比率は、温度変化に対する屈折率の変化の割合をコントロールするために、適宜増減できるし、複数種類のナノサイズ無機粒子をブレンドして分散させることも可能である。
【手続補正９】
【補正対象書類名】明細書
【補正対象項目名】００６４
【補正方法】変更
【補正の内容】
【００６４】
体積比率では、上記の例では８０：２０であるが、９０：１０〜６０：４０までの間で適宜調整可能である。９０：１０よりも体積比率が小さいと屈折率変化抑制の効果が小さくなり、逆に、６０：４０を超えるとアサーマル樹脂の成形性に問題が生じるために好ましくない。
微粒子は無機物であることが好ましく、更に、酸化物であることが好ましい。そして酸化状態が飽和していて、それ以上酸化しない酸化物であることが好ましい。
無機物であることは、高分子有機化合物であるプラスチック材料との反応を低く抑えるために好ましく、また酸化物であることによって、青紫色レーザの長時間の照射に伴う透過率劣化や波面収差劣化を防ぐことが出来る。特に、高温下において青紫色レーザが照射されるという過酷な条件において、酸化が促進されやすくなるが、このような無機酸化物であれば、酸化による透過率劣化や波面収差劣化を防ぐことが出来る。
【手続補正１０】
【補正対象書類名】明細書
【補正対象項目名】００６５
【補正方法】変更
【補正の内容】
【００６５】
尚、プラスチック材料に分散させる微粒子の直径が大きいと、入射光束の散乱が生じやすくなり集光素子の透過率が低下する。高密度光ディスクにおいて、情報の記録／再生に使用される青紫色レーザでは、長時間にわたり安定したレーザ発振を得られるレーザパワーは３０ｍＷ程度であるので、光学素子の青紫色レーザに対する透過率が低いと、情報の記録の高速化、多層ディスク対応という観点で不利となる。従って、プラスチック材料に分散させる微粒子の直径は、好ましくは２０ｎｍ以下、更に好ましくは１０〜１５ｎｍ以下であることが集光素子の透過率低下を防ぐうえで好ましい。
一般的に、光学素子は、波長が短くなるほど、そして、ＮＡが大きくなるほど、その製造が難しくなる。従って、集光素子を、前記第１波長λ１と前記第１光情報記録媒体の保護層の厚さｔ１とに対して、マレシャル限界以下となるように収差補正されるように、つまり、集光素子を高密度光ディスクの波長λ１と保護層の厚さｔ１とに対して収差補正が最適化されるようにして、収差補正素子と組合わせた場合に、高密度光ディスク用の光学素子としての性能を出しやすくするのが好ましい。
【手続補正１１】
【補正対象書類名】明細書
【補正対象項目名】００６６
【補正方法】削除
【補正の内容】
【手続補正１２】
【補正対象書類名】明細書
【補正対象項目名】００６７
【補正方法】削除
【補正の内容】
【手続補正１３】
【補正対象書類名】明細書
【補正対象項目名】００６８
【補正方法】削除
【補正の内容】
【手続補正１４】
【補正対象書類名】明細書
【補正対象項目名】００６９
【補正方法】削除
【補正の内容】
【手続補正１５】
【補正対象書類名】明細書
【補正対象項目名】００７０
【補正方法】削除
【補正の内容】
【手続補正１６】
【補正対象書類名】明細書
【補正対象項目名】００７１
【補正方法】削除
【補正の内容】
【手続補正１７】
【補正対象書類名】明細書
【補正対象項目名】００７２
【補正方法】削除
【補正の内容】
【手続補正１８】
【補正対象書類名】明細書
【補正対象項目名】００７３
【補正方法】削除
【補正の内容】
【手続補正１９】
【補正対象書類名】明細書
【補正対象項目名】００７４
【補正方法】削除
【補正の内容】
【手続補正２０】
【補正対象書類名】明細書
【補正対象項目名】００７５
【補正方法】削除
【補正の内容】
【手続補正２１】
【補正対象書類名】明細書
【補正対象項目名】００７６
【補正方法】削除
【補正の内容】
【手続補正２２】
【補正対象書類名】明細書
【補正対象項目名】００７７
【補正方法】削除
【補正の内容】
【手続補正２３】
【補正対象書類名】明細書
【補正対象項目名】００７８
【補正方法】削除
【補正の内容】
【手続補正２４】
【補正対象書類名】明細書
【補正対象項目名】００７９
【補正方法】削除
【補正の内容】
【手続補正２５】
【補正対象書類名】明細書
【補正対象項目名】００８０
【補正方法】削除
【補正の内容】
【手続補正２６】
【補正対象書類名】明細書
【補正対象項目名】００８１
【補正方法】削除
【補正の内容】
【手続補正２７】
【補正対象書類名】明細書
【補正対象項目名】００８２
【補正方法】削除
【補正の内容】
【手続補正２８】
【補正対象書類名】明細書
【補正対象項目名】００８３
【補正方法】削除
【補正の内容】
【手続補正２９】
【補正対象書類名】明細書
【補正対象項目名】００８４
【補正方法】削除
【補正の内容】
【手続補正３０】
【補正対象書類名】明細書
【補正対象項目名】００８５
【補正方法】削除
【補正の内容】
【手続補正３１】
【補正対象書類名】明細書
【補正対象項目名】００８６
【補正方法】削除
【補正の内容】
【手続補正３２】
【補正対象書類名】明細書
【補正対象項目名】００８７
【補正方法】削除
【補正の内容】
【手続補正３３】
【補正対象書類名】明細書
【補正対象項目名】００８８
【補正方法】削除
【補正の内容】
【手続補正３４】
【補正対象書類名】明細書
【補正対象項目名】００８９
【補正方法】削除
【補正の内容】
【手続補正３５】
【補正対象書類名】明細書
【補正対象項目名】００９０
【補正方法】削除
【補正の内容】
【手続補正３６】
【補正対象書類名】明細書
【補正対象項目名】００９１
【補正方法】削除
【補正の内容】
【手続補正３７】
【補正対象書類名】明細書
【補正対象項目名】００９２
【補正方法】削除
【補正の内容】
【手続補正３８】
【補正対象書類名】明細書
【補正対象項目名】００９３
【補正方法】削除
【補正の内容】
【手続補正３９】
【補正対象書類名】明細書
【補正対象項目名】００９４
【補正方法】削除
【補正の内容】
【手続補正４０】
【補正対象書類名】明細書
【補正対象項目名】００９５
【補正方法】削除
【補正の内容】
【手続補正４１】
【補正対象書類名】明細書
【補正対象項目名】００９６
【補正方法】削除
【補正の内容】
【手続補正４２】
【補正対象書類名】明細書
【補正対象項目名】００９７
【補正方法】削除
【補正の内容】
【手続補正４３】
【補正対象書類名】明細書
【補正対象項目名】００９８
【補正方法】削除
【補正の内容】
【手続補正４４】
【補正対象書類名】明細書
【補正対象項目名】００９９
【補正方法】削除
【補正の内容】
【手続補正４５】
【補正対象書類名】明細書
【補正対象項目名】０１００
【補正方法】削除
【補正の内容】
【手続補正４６】
【補正対象書類名】明細書
【補正対象項目名】０１０１
【補正方法】削除
【補正の内容】
【手続補正４７】
【補正対象書類名】明細書
【補正対象項目名】０１０２
【補正方法】削除
【補正の内容】
【手続補正４８】
【補正対象書類名】明細書
【補正対象項目名】０１０３
【補正方法】削除
【補正の内容】
【手続補正４９】
【補正対象書類名】明細書
【補正対象項目名】０１０４
【補正方法】削除
【補正の内容】
【手続補正５０】
【補正対象書類名】明細書
【補正対象項目名】０１０５
【補正方法】削除
【補正の内容】
【手続補正５１】
【補正対象書類名】明細書
【補正対象項目名】０１０６
【補正方法】削除
【補正の内容】
【手続補正５２】
【補正対象書類名】明細書
【補正対象項目名】０１０７
【補正方法】削除
【補正の内容】
【手続補正５３】
【補正対象書類名】明細書
【補正対象項目名】０１０８
【補正方法】削除
【補正の内容】
【手続補正５４】
【補正対象書類名】明細書
【補正対象項目名】０１０９
【補正方法】削除
【補正の内容】
【手続補正５５】
【補正対象書類名】明細書
【補正対象項目名】０１１０
【補正方法】削除
【補正の内容】
【手続補正５６】
【補正対象書類名】明細書
【補正対象項目名】０１１１
【補正方法】削除
【補正の内容】
【手続補正５７】
【補正対象書類名】明細書
【補正対象項目名】０１１２
【補正方法】削除
【補正の内容】
【手続補正５８】
【補正対象書類名】明細書
【補正対象項目名】０１１３
【補正方法】削除
【補正の内容】
【手続補正５９】
【補正対象書類名】明細書
【補正対象項目名】０１１４
【補正方法】削除
【補正の内容】
【手続補正６０】
【補正対象書類名】明細書
【補正対象項目名】０１１５
【補正方法】削除
【補正の内容】
【手続補正６１】
【補正対象書類名】明細書
【補正対象項目名】０１１６
【補正方法】削除
【補正の内容】
【手続補正６２】
【補正対象書類名】明細書
【補正対象項目名】０１１７
【補正方法】削除
【補正の内容】
【手続補正６３】
【補正対象書類名】明細書
【補正対象項目名】０１１８
【補正方法】削除
【補正の内容】
【手続補正６４】
【補正対象書類名】明細書
【補正対象項目名】０１１９
【補正方法】削除
【補正の内容】
【手続補正６５】
【補正対象書類名】明細書
【補正対象項目名】０１２０
【補正方法】削除
【補正の内容】
【手続補正６６】
【補正対象書類名】明細書
【補正対象項目名】０１２１
【補正方法】削除
【補正の内容】
【手続補正６７】
【補正対象書類名】明細書
【補正対象項目名】０１２２
【補正方法】削除
【補正の内容】
【手続補正６８】
【補正対象書類名】明細書
【補正対象項目名】０１２３
【補正方法】削除
【補正の内容】
【手続補正６９】
【補正対象書類名】明細書
【補正対象項目名】０１２４
【補正方法】削除
【補正の内容】
【手続補正７０】
【補正対象書類名】明細書
【補正対象項目名】０１２５
【補正方法】削除
【補正の内容】
【手続補正７１】
【補正対象書類名】明細書
【補正対象項目名】０１２６
【補正方法】削除
【補正の内容】
【手続補正７２】
【補正対象書類名】明細書
【補正対象項目名】０１２７
【補正方法】削除
【補正の内容】
【手続補正７３】
【補正対象書類名】明細書
【補正対象項目名】０１２８
【補正方法】削除
【補正の内容】
【手続補正７４】
【補正対象書類名】明細書
【補正対象項目名】０１２９
【補正方法】削除
【補正の内容】
【手続補正７５】
【補正対象書類名】明細書
【補正対象項目名】０１３０
【補正方法】削除
【補正の内容】
【手続補正７６】
【補正対象書類名】明細書
【補正対象項目名】０１３１
【補正方法】削除
【補正の内容】
【手続補正７７】
【補正対象書類名】明細書
【補正対象項目名】０１３２
【補正方法】削除
【補正の内容】
【手続補正７８】
【補正対象書類名】明細書
【補正対象項目名】０１３３
【補正方法】削除
【補正の内容】
【手続補正７９】
【補正対象書類名】明細書
【補正対象項目名】０１３４
【補正方法】削除
【補正の内容】
【手続補正８０】
【補正対象書類名】明細書
【補正対象項目名】０１３５
【補正方法】削除
【補正の内容】
【手続補正８１】
【補正対象書類名】明細書
【補正対象項目名】０１３６
【補正方法】削除
【補正の内容】
【手続補正８２】
【補正対象書類名】明細書
【補正対象項目名】０１３７
【補正方法】削除
【補正の内容】
【手続補正８３】
【補正対象書類名】明細書
【補正対象項目名】０１３８
【補正方法】削除
【補正の内容】
【手続補正８４】
【補正対象書類名】明細書
【補正対象項目名】０１３９
【補正方法】削除
【補正の内容】
【手続補正８５】
【補正対象書類名】明細書
【補正対象項目名】０１４０
【補正方法】削除
【補正の内容】
【手続補正８６】
【補正対象書類名】明細書
【補正対象項目名】０１４１
【補正方法】削除
【補正の内容】
【手続補正８７】
【補正対象書類名】明細書
【補正対象項目名】０１４２
【補正方法】削除
【補正の内容】
【手続補正８８】
【補正対象書類名】明細書
【補正対象項目名】０１４３
【補正方法】削除
【補正の内容】
【手続補正８９】
【補正対象書類名】明細書
【補正対象項目名】０１４４
【補正方法】削除
【補正の内容】
【手続補正９０】
【補正対象書類名】明細書
【補正対象項目名】０１４５
【補正方法】削除
【補正の内容】
【手続補正９１】
【補正対象書類名】明細書
【補正対象項目名】０１４６
【補正方法】削除
【補正の内容】
【手続補正９２】
【補正対象書類名】明細書
【補正対象項目名】０１４７
【補正方法】削除
【補正の内容】
【手続補正９３】
【補正対象書類名】明細書
【補正対象項目名】０１４８
【補正方法】削除
【補正の内容】
【手続補正９４】
【補正対象書類名】明細書
【補正対象項目名】０１４９
【補正方法】削除
【補正の内容】
【手続補正９５】
【補正対象書類名】明細書
【補正対象項目名】０１５０
【補正方法】削除
【補正の内容】
【手続補正９６】
【補正対象書類名】明細書
【補正対象項目名】０１５１
【補正方法】削除
【補正の内容】
【手続補正９７】
【補正対象書類名】明細書
【補正対象項目名】０１５２
【補正方法】削除
【補正の内容】
【手続補正９８】
【補正対象書類名】明細書
【補正対象項目名】０１５３
【補正方法】削除
【補正の内容】
【手続補正９９】
【補正対象書類名】明細書
【補正対象項目名】０１５４
【補正方法】削除
【補正の内容】
【手続補正１００】
【補正対象書類名】明細書
【補正対象項目名】０１５５
【補正方法】削除
【補正の内容】
【手続補正１０１】
【補正対象書類名】明細書
【補正対象項目名】０１５６
【補正方法】削除
【補正の内容】
【手続補正１０２】
【補正対象書類名】明細書
【補正対象項目名】０１５７
【補正方法】削除
【補正の内容】
【手続補正１０３】
【補正対象書類名】明細書
【補正対象項目名】０１５８
【補正方法】削除
【補正の内容】
【手続補正１０４】
【補正対象書類名】明細書
【補正対象項目名】０１５９
【補正方法】削除
【補正の内容】
【手続補正１０５】
【補正対象書類名】明細書
【補正対象項目名】０１６０
【補正方法】削除
【補正の内容】
【手続補正１０６】
【補正対象書類名】明細書
【補正対象項目名】０１６１
【補正方法】削除
【補正の内容】
【手続補正１０７】
【補正対象書類名】明細書
【補正対象項目名】０１６２
【補正方法】削除
【補正の内容】
【手続補正１０８】
【補正対象書類名】明細書
【補正対象項目名】０１６３
【補正方法】削除
【補正の内容】
【手続補正１０９】
【補正対象書類名】明細書
【補正対象項目名】０１６４
【補正方法】削除
【補正の内容】
【手続補正１１０】
【補正対象書類名】明細書
【補正対象項目名】０１６５
【補正方法】削除
【補正の内容】
【手続補正１１１】
【補正対象書類名】明細書
【補正対象項目名】０１６６
【補正方法】削除
【補正の内容】
【手続補正１１２】
【補正対象書類名】明細書
【補正対象項目名】０１６７
【補正方法】削除
【補正の内容】
【手続補正１１３】
【補正対象書類名】明細書
【補正対象項目名】０１６８
【補正方法】削除
【補正の内容】
【手続補正１１４】
【補正対象書類名】明細書
【補正対象項目名】０１６９
【補正方法】削除
【補正の内容】
【手続補正１１５】
【補正対象書類名】明細書
【補正対象項目名】０１７０
【補正方法】削除
【補正の内容】
【手続補正１１６】
【補正対象書類名】明細書
【補正対象項目名】０１７１
【補正方法】削除
【補正の内容】
【手続補正１１７】
【補正対象書類名】明細書
【補正対象項目名】０１７２
【補正方法】削除
【補正の内容】
【手続補正１１８】
【補正対象書類名】明細書
【補正対象項目名】０１７３
【補正方法】削除
【補正の内容】
【手続補正１１９】
【補正対象書類名】明細書
【補正対象項目名】０１７４
【補正方法】削除
【補正の内容】
【手続補正１２０】
【補正対象書類名】明細書
【補正対象項目名】０１７５
【補正方法】削除
【補正の内容】
【手続補正１２１】
【補正対象書類名】明細書
【補正対象項目名】０１７６
【補正方法】削除
【補正の内容】
【手続補正１２２】
【補正対象書類名】明細書
【補正対象項目名】０１７７
【補正方法】削除
【補正の内容】
【手続補正１２３】
【補正対象書類名】明細書
【補正対象項目名】０１７８
【補正方法】削除
【補正の内容】
【手続補正１２４】
【補正対象書類名】明細書
【補正対象項目名】０１７９
【補正方法】削除
【補正の内容】
【手続補正１２５】
【補正対象書類名】明細書
【補正対象項目名】０１８０
【補正方法】削除
【補正の内容】
【手続補正１２６】
【補正対象書類名】明細書
【補正対象項目名】０１８１
【補正方法】削除
【補正の内容】
【手続補正１２７】
【補正対象書類名】明細書
【補正対象項目名】０１８２
【補正方法】削除
【補正の内容】
【手続補正１２８】
【補正対象書類名】明細書
【補正対象項目名】０１８３
【補正方法】削除
【補正の内容】
【手続補正１２９】
【補正対象書類名】明細書
【補正対象項目名】０１８４
【補正方法】削除
【補正の内容】
【手続補正１３０】
【補正対象書類名】明細書
【補正対象項目名】０１８５
【補正方法】削除
【補正の内容】
【手続補正１３１】
【補正対象書類名】明細書
【補正対象項目名】０１８６
【補正方法】削除
【補正の内容】
【手続補正１３２】
【補正対象書類名】明細書
【補正対象項目名】０１８７
【補正方法】削除
【補正の内容】
【手続補正１３３】
【補正対象書類名】明細書
【補正対象項目名】０１８８
【補正方法】削除
【補正の内容】
【手続補正１３４】
【補正対象書類名】明細書
【補正対象項目名】０１８９
【補正方法】削除
【補正の内容】
【手続補正１３５】
【補正対象書類名】明細書
【補正対象項目名】０１９０
【補正方法】削除
【補正の内容】
【手続補正１３６】
【補正対象書類名】明細書
【補正対象項目名】０１９１
【補正方法】削除
【補正の内容】
【手続補正１３７】
【補正対象書類名】明細書
【補正対象項目名】０１９２
【補正方法】削除
【補正の内容】
【手続補正１３８】
【補正対象書類名】明細書
【補正対象項目名】０１９３
【補正方法】削除
【補正の内容】
【手続補正１３９】
【補正対象書類名】明細書
【補正対象項目名】０１９４
【補正方法】削除
【補正の内容】
【手続補正１４０】
【補正対象書類名】明細書
【補正対象項目名】０１９５
【補正方法】削除
【補正の内容】
【手続補正１４１】
【補正対象書類名】明細書
【補正対象項目名】０１９６
【補正方法】削除
【補正の内容】
【手続補正１４２】
【補正対象書類名】明細書
【補正対象項目名】０１９７
【補正方法】削除
【補正の内容】
【手続補正１４３】
【補正対象書類名】明細書
【補正対象項目名】０１９８
【補正方法】削除
【補正の内容】
【手続補正１４４】
【補正対象書類名】明細書
【補正対象項目名】０１９９
【補正方法】削除
【補正の内容】
【手続補正１４５】
【補正対象書類名】明細書
【補正対象項目名】０２００
【補正方法】削除
【補正の内容】
【手続補正１４６】
【補正対象書類名】明細書
【補正対象項目名】０２０１
【補正方法】削除
【補正の内容】
【手続補正１４７】
【補正対象書類名】明細書
【補正対象項目名】０２０２
【補正方法】削除
【補正の内容】
【手続補正１４８】
【補正対象書類名】明細書
【補正対象項目名】０２０３
【補正方法】削除
【補正の内容】
【手続補正１４９】
【補正対象書類名】明細書
【補正対象項目名】０２０４
【補正方法】削除
【補正の内容】
【手続補正１５０】
【補正対象書類名】明細書
【補正対象項目名】０２０５
【補正方法】削除
【補正の内容】
【手続補正１５１】
【補正対象書類名】明細書
【補正対象項目名】０２０６
【補正方法】削除
【補正の内容】
【手続補正１５２】
【補正対象書類名】明細書
【補正対象項目名】０２０７
【補正方法】削除
【補正の内容】
【手続補正１５３】
【補正対象書類名】明細書
【補正対象項目名】０２０８
【補正方法】削除
【補正の内容】
【手続補正１５４】
【補正対象書類名】明細書
【補正対象項目名】０２０９
【補正方法】削除
【補正の内容】
【手続補正１５５】
【補正対象書類名】明細書
【補正対象項目名】０２１０
【補正方法】削除
【補正の内容】
【手続補正１５６】
【補正対象書類名】明細書
【補正対象項目名】０２１１
【補正方法】削除
【補正の内容】
【手続補正１５７】
【補正対象書類名】明細書
【補正対象項目名】０２１２
【補正方法】削除
【補正の内容】
【手続補正１５８】
【補正対象書類名】明細書
【補正対象項目名】０２１３
【補正方法】削除
【補正の内容】
【手続補正１５９】
【補正対象書類名】明細書
【補正対象項目名】０２１４
【補正方法】削除
【補正の内容】
【手続補正１６０】
【補正対象書類名】明細書
【補正対象項目名】０２１５
【補正方法】削除
【補正の内容】
【手続補正１６１】
【補正対象書類名】明細書
【補正対象項目名】０２１６
【補正方法】削除
【補正の内容】
【手続補正１６２】
【補正対象書類名】明細書
【補正対象項目名】０２１７
【補正方法】削除
【補正の内容】
【手続補正１６３】
【補正対象書類名】明細書
【補正対象項目名】０２１８
【補正方法】削除
【補正の内容】
【手続補正１６４】
【補正対象書類名】明細書
【補正対象項目名】０２１９
【補正方法】削除
【補正の内容】
【手続補正１６５】
【補正対象書類名】明細書
【補正対象項目名】０２２０
【補正方法】削除
【補正の内容】
【手続補正１６６】
【補正対象書類名】明細書
【補正対象項目名】０２２１
【補正方法】削除
【補正の内容】
【手続補正１６７】
【補正対象書類名】明細書
【補正対象項目名】０２２２
【補正方法】削除
【補正の内容】
【手続補正１６８】
【補正対象書類名】明細書
【補正対象項目名】０２２３
【補正方法】削除
【補正の内容】
【手続補正１６９】
【補正対象書類名】明細書
【補正対象項目名】０２２４
【補正方法】削除
【補正の内容】
【手続補正１７０】
【補正対象書類名】明細書
【補正対象項目名】０２２５
【補正方法】削除
【補正の内容】
【手続補正１７１】
【補正対象書類名】明細書
【補正対象項目名】０２２６
【補正方法】削除
【補正の内容】
【手続補正１７２】
【補正対象書類名】明細書
【補正対象項目名】０２２７
【補正方法】削除
【補正の内容】
【手続補正１７３】
【補正対象書類名】明細書
【補正対象項目名】０２２８
【補正方法】削除
【補正の内容】
【手続補正１７４】
【補正対象書類名】明細書
【補正対象項目名】０２２９
【補正方法】削除
【補正の内容】
【手続補正１７５】
【補正対象書類名】明細書
【補正対象項目名】０２３０
【補正方法】削除
【補正の内容】
【手続補正１７６】
【補正対象書類名】明細書
【補正対象項目名】０２３１
【補正方法】削除
【補正の内容】
【手続補正１７７】
【補正対象書類名】明細書
【補正対象項目名】０２３２
【補正方法】削除
【補正の内容】
【手続補正１７８】
【補正対象書類名】明細書
【補正対象項目名】０２３３
【補正方法】削除
【補正の内容】
【手続補正１７９】
【補正対象書類名】明細書
【補正対象項目名】０２３４
【補正方法】削除
【補正の内容】
【手続補正１８０】
【補正対象書類名】明細書
【補正対象項目名】０２３５
【補正方法】削除
【補正の内容】
【手続補正１８１】
【補正対象書類名】明細書
【補正対象項目名】０２３６
【補正方法】削除
【補正の内容】
【手続補正１８２】
【補正対象書類名】明細書
【補正対象項目名】０２３７
【補正方法】削除
【補正の内容】
【手続補正１８３】
【補正対象書類名】明細書
【補正対象項目名】０２３８
【補正方法】削除
【補正の内容】
【手続補正１８４】
【補正対象書類名】明細書
【補正対象項目名】０２３９
【補正方法】削除
【補正の内容】
【手続補正１８５】
【補正対象書類名】明細書
【補正対象項目名】０２４０
【補正方法】削除
【補正の内容】
【手続補正１８６】
【補正対象書類名】明細書
【補正対象項目名】０２４１
【補正方法】削除
【補正の内容】
【手続補正１８７】
【補正対象書類名】明細書
【補正対象項目名】０２４２
【補正方法】削除
【補正の内容】
【手続補正１８８】
【補正対象書類名】明細書
【補正対象項目名】０２４３
【補正方法】削除
【補正の内容】
【手続補正１８９】
【補正対象書類名】明細書
【補正対象項目名】０２４４
【補正方法】削除
【補正の内容】
【手続補正１９０】
【補正対象書類名】明細書
【補正対象項目名】０２４５
【補正方法】削除
【補正の内容】
【手続補正１９１】
【補正対象書類名】明細書
【補正対象項目名】０２４６
【補正方法】削除
【補正の内容】
【手続補正１９２】
【補正対象書類名】明細書
【補正対象項目名】０２４７
【補正方法】削除
【補正の内容】
【手続補正１９３】
【補正対象書類名】明細書
【補正対象項目名】０２４８
【補正方法】削除
【補正の内容】
【手続補正１９４】
【補正対象書類名】明細書
【補正対象項目名】０２４９
【補正方法】削除
【補正の内容】
【手続補正１９５】
【補正対象書類名】明細書
【補正対象項目名】０２５０
【補正方法】削除
【補正の内容】
【手続補正１９６】
【補正対象書類名】明細書
【補正対象項目名】０２５１
【補正方法】削除
【補正の内容】
【手続補正１９７】
【補正対象書類名】明細書
【補正対象項目名】０２５２
【補正方法】削除
【補正の内容】
【手続補正１９８】
【補正対象書類名】明細書
【補正対象項目名】０２５３
【補正方法】削除
【補正の内容】
【手続補正１９９】
【補正対象書類名】明細書
【補正対象項目名】０２５４
【補正方法】削除
【補正の内容】
【手続補正２００】
【補正対象書類名】明細書
【補正対象項目名】０２５５
【補正方法】削除
【補正の内容】
【手続補正２０１】
【補正対象書類名】明細書
【補正対象項目名】０２５６
【補正方法】削除
【補正の内容】
【手続補正２０２】
【補正対象書類名】明細書
【補正対象項目名】０２５７
【補正方法】削除
【補正の内容】
【手続補正２０３】
【補正対象書類名】明細書
【補正対象項目名】０２５８
【補正方法】削除
【補正の内容】
【手続補正２０４】
【補正対象書類名】明細書
【補正対象項目名】０２５９
【補正方法】削除
【補正の内容】
【手続補正２０５】
【補正対象書類名】明細書
【補正対象項目名】０２６０
【補正方法】削除
【補正の内容】
【手続補正２０６】
【補正対象書類名】明細書
【補正対象項目名】０２６１
【補正方法】削除
【補正の内容】
【手続補正２０７】
【補正対象書類名】明細書
【補正対象項目名】０２６２
【補正方法】削除
【補正の内容】
【手続補正２０８】
【補正対象書類名】明細書
【補正対象項目名】０２６３
【補正方法】削除
【補正の内容】
【手続補正２０９】
【補正対象書類名】明細書
【補正対象項目名】０２６４
【補正方法】削除
【補正の内容】
【手続補正２１０】
【補正対象書類名】明細書
【補正対象項目名】０２６５
【補正方法】削除
【補正の内容】
【手続補正２１１】
【補正対象書類名】明細書
【補正対象項目名】０２６６
【補正方法】削除
【補正の内容】
【手続補正２１２】
【補正対象書類名】明細書
【補正対象項目名】０２６７
【補正方法】削除
【補正の内容】
【手続補正２１３】
【補正対象書類名】明細書
【補正対象項目名】０２６８
【補正方法】変更
【補正の内容】
【０２６８】
本発明によれば、青紫色レーザ光源を使用する高密度光ディスクとＤＶＤを含む、使用する波長が異なる複数種類の光情報記録媒体に対して情報の記録及び／又は再生を適切に行うことができる光ピックアップ装置用の光学素子、対物光学系、光ピックアップ装置、及び光情報記録再生装置を得られる。